(57)【要約】【課題】本発明は、エアフィルタ清掃ユニットの支持構造のコンパクト化を図り、製造性の向上と部品の簡素化によるコストダウンを図れる空気調和機の室内機を提供する。【解決手段】室内機本体１内部に熱交換器８と送風機１０を収容し、前ドレンパン１２ａを一体に設け、前面に前面吸込み口４、上面に上面吸込み口５を開口し、これら吸込み口に対向するよう前面エアフィルタ１８と上面エアフィルタ１７を分割して配置し、これらエアフィルタの端部相互に亘ってエアフィルタ清掃ユニットＳを設け、上面吸込み口と熱交換器との間に上面エアフィルタを移動自在に支持する上部枠体組立１６を介在し、前面吸込み口と熱交換器との間で上端部を上部枠体組立の前端部、下端部をドレンパンの前端部に取付けて、上部枠体組立とドレンパンとの間に架設し、エアフィルタを移動自在に支持するフィルタガイド２０を複数個で構成する。【選択図】      図２
2009186032.tif 000002
【特許請求の範囲】
【請求項１】
内部に熱交換器および送風機を収容する室内機本体と、
この室内機本体に一体に設けられ、前記熱交換器の下端部が載置されるドレンパンと、
前記室内機本体の前面に開口される前面吸込み口および、上面に開口される上面吸込み口と、
前記前面吸込み口と上面吸込み口とにそれぞれ対向するよう分割して配置され、前面吸込み口と上面吸込み口を介して室内機本体内に吸込まれる室内空気中の塵埃を捕捉する前面エアフィルタおよび上面エアフィルタと、
前記前面エアフィルタおよび上面エアフィルタの端部相互に亘って設けられ、前面エアフィルタを上面エアフィルタの上面位置に、上面エアフィルタを前面エアフィルタの前面位置に、それぞれ交互に往復移動させるとともに、前面エアフィルタと上面エアフィルタに付着している塵埃を除去し、かつ除去した塵埃を回収するエアフィルタ清掃ユニットと、
前記室内機本体の上面吸込み口と熱交換器との間に介在され、上面吸込み口と連通する開口部を有し、前記上面エアフィルタを移動自在に支持するとともに、前記エアフィルタ清掃ユニットが設けられる上部枠体組立と、
前記室内機本体の前面吸込み口と熱交換器との間に配置されるとともに、上端部が前記上部枠体組立の前端部に取付けられ、下端部が前記ドレンパンの前端部に取付けられて、上部枠体組立とドレンパンとの間に架設され、前面吸込み口と連通する開口部を備えるとともに、前面エアフィルタを移動自在に支持する、複数個で構成するフィルタガイドと
を具備することを特徴とする空気調和機の室内機。
【請求項２】
前記複数個で構成するフィルタガイドは、室内機本体の幅方向に亘り、所定間隔を存して３個以上で構成され、
前記ドレンパンは、各フィルタガイドの下端部を収納する受け部を備えた
ことを特徴とする請求項１記載の空気調和機の室内機。
【請求項３】
前記複数個で構成するフィルタガイドの少なくとも一部に保持部が設けられ、
このフィルタガイドの保持部に、高電圧が印加されるイオン発生電極を備えて室内機本体内に吸込まれる室内空気中の塵埃を荷電するイオン発生器が保持される
ことを特徴とする請求項１記載の空気調和機の室内機。
【請求項４】
前記複数個で構成するフィルタガイドは、
室内機本体の幅方向に対し、少なくとも左右両側端部にそれぞれ１個、中央部に２個の、４個以上で構成され、
左側端部と右側端部のいずれか一方のフィルタガイドは、前記イオン発生器の電源部を保持する電源保持部を備え、
左側端部と右側端部のいずれか他方のフィルタガイドと、中央部のいずれか一方のフィルタガイドは、前記イオン発生器の本体部を保持する本体部保持部を備え、
残りのフィルタガイドは、イオン発生器を、イオン発生器を保持するフィルタガイドに押し付けるとともに、上部枠体組立とドレンパンに対して着脱自在に取付けられる
ことを特徴とする請求項３記載の空気調和機の室内機。
【発明の詳細な説明】
【技術分野】
【０００１】
本発明は、エアフィルタから塵埃を自動で除去するエアフィルタ清掃ユニットを備えた空気調和機の室内機に係り、特にエアフィルタ清掃ユニット支持構造の改良に関する。
【背景技術】
【０００２】
空気調和機の室内機では、吸込み口から室内機本体内に室内空気が吸込まれ、熱交換器に導かれて熱交換する。室内空気に含まれる塵埃は吸込み口と対向して設けられるエアフィルタで捕捉されるが、そのまま放置すると塵埃が堆積して熱交換器に対する室内空気の流通が阻害され、熱交換器の熱交換効率低下を招いてしまう。
【０００３】
そこで、たとえば［特許文献１］に開示されるように、エアフィルタに付着するゴミを自動的に除去する手段を備えた空気調和機が、本出願人から提供されるに至った。これは、前面エアフィルタの上端部と上面エアフィルタの前端部とに亘ってエアフィルタ清掃ユニットが設けられる。
【０００４】
前記エアフィルタ清掃ユニットは、前面エアフィルタを上面エアフィルタの上面位置に、上面エアフィルタを前面エアフィルタの前面位置に、それぞれ交互に往復移動させ、前面エアフィルタと上面エアフィルタに付着している塵埃を除去する塵埃除去手段および、除去した塵埃を回収する塵埃受け部を備えている。
【特許文献１】特開２００７−１５５２４０号公報
【発明の開示】
【発明が解決しようとする課題】
【０００５】
［特許文献１］の技術によれば、各エアフィルタに付着している塵埃を、自動で、かつ確実に除去でき、使用者のメンテナンス手間の大幅な削減化が得られて、使い勝手が向上する。  
なお、上記構造のエアフィルタ清掃ユニットを支持する主枠体は、位置精度と強度保持のために、上面エアフィルタを収納する上面枠体と、前面エアフィルタを収納する前面枠体とが一体に構成されている。主枠体は、側面視で略くの字状に形成されていて、この折曲部（角部）に相当する部位に、前記エアフィルタ清掃ユニットが取付けられる。
【０００６】
そして、折曲部よりも上部側において上面エアフィルタを移動自在に支持し、折曲部よりも下部側において前面エアフィルタを移動自在に支持している。したがって、主枠体が室内空気の吸込み側全体を構成することとなり、部品サイズが大となっている。  
このような主枠体は、室内機の組立ラインにおいて部品として嵩張り、輸送効率が悪く、部品単価が高くなるため、製品の製造コストを低下させようとした場合の課題点となっている。
【０００７】
本発明は上記事情にもとづきなされたものであり、その目的とするところは、エアフィルタに付着している塵埃を自動で除去するエアフィルタ清掃ユニットの機能を従来と同様に備えるうえに、このエアフィルタ清掃ユニットの支持構造のコンパクト化を図り、製造性の向上と部品の簡素化を得るとともに、量産性向上によりコストダウンを図れる空気調和機の室内機を提供しようとするものである。
【課題を解決するための手段】
【０００８】
上記目的を満足するため本発明の空気調和機の室内機は、室内機本体内部に熱交換器および送風機を収容し、室内機本体に熱交換器の下端部を載置するドレンパンを一体に設け、室内機本体の前面に前面吸込み口、上面に上面吸込み口を開口し、  
前面吸込み口と上面吸込み口とにそれぞれ対向するよう前面エアフィルタおよび上面エアフィルタに分割配置して、前面吸込み口と上面吸込み口を介して室内機本体内に吸込まれる室内空気中の塵埃を捕捉し、  
前面エアフィルタおよび上面エアフィルタの端部相互に亘ってエアフィルタ清掃ユニットを設け、前面エアフィルタを上面エアフィルタの上面位置に、上面エアフィルタを前面エアフィルタの前面位置に、それぞれ交互に往復移動させ、前面エアフィルタと上面エアフィルタに付着している塵埃を除去して回収し、  
室内機本体の上面吸込み口と熱交換器との間に上部枠体組立を介在し、この上部枠体組立に上面吸込み口と連通する開口部を有し、上部枠体組立で上面エアフィルタを移動自在に支持するとともに上部枠体組立にエアフィルタ清掃ユニットを設け、  
室内機本体の前面吸込み口と熱交換器との間に、複数個で構成するフィルタガイドを配置し、これらフィルタガイドの上端部を上部枠体組立の前端部に、下端部をドレンパンの前端部に取付けて、上部枠体組立とドレンパンとの間に架設し、これらフィルタガイドに前面吸込み口と連通する開口部を備え、前面エアフィルタを移動自在に支持する。
【発明の効果】
【０００９】
本発明によれば、エアフィルタ清掃ユニット支持構造のコンパクト化を図り、製造性の向上と部品の簡素化を得るとともに、量産性向上によりコストダウンを図れる等の効果を奏する。
【発明を実施するための最良の形態】
【００１０】
以下、図面を参照しながら、本発明の実施の形態について詳細に説明する。  
図１は空気調和機の室内機に係る概略の側断面図、図２は前面パネルを外した状態での室内機内部の斜視図である。（なお、説明中に符号を付していない部品は図示していない。図示しても符号を付していない部品もある。以下同じ。）
室内機本体１は、前側筐体を構成する前面パネル２と、後側筐体を構成する後本体３とからなり、上下方向に対して幅方向に横長状に形成される。室内機本体１の前面側一部に前面吸込み口４が開口され、前面吸込み口４に対向する前面パネル２には開閉駆動機構に支持される開閉パネル２Ａが嵌め込まれている。
【００１１】
図１に示す運転停止時は、開閉パネル２Ａは前面パネル２と同一面となり前面吸込み口４を閉成するが、運転時には手前側に突出変位して周囲に室内と連通する隙間を生じ、前面吸込み口４を室内に開放する。室内機本体１の上部には上面吸込み口５が開口されていて、この上面吸込み口５には複数の空間部に仕切る枠状の桟が嵌め込まれる。
【００１２】
上記室内機本体１の前面下部に吹出し口６が開口されていて、この吹出し口６には２枚の吹出しルーバー７ａ，７ｂが並行して設けられる。各吹出しルーバー７ａ，７ｂは、それぞれの回動姿勢によって上記吹出し口６を開閉し、かつ運転条件に応じて熱交換空気の吹出し方向を設定できるようになっている。
【００１３】
室内機本体１内には、前側熱交換器部８Ａと後側熱交換器部８Ｂとで略逆Ｖ字状に形成される熱交換器８が配置され、この熱交換器８の一側部に電気部品箱９が並設される。前側熱交換器部８Ａは、前面吸込み口４全体および上面吸込み口５一部と対向するよう湾曲状に形成される。後側熱交換器部８Ｂは、直状で斜めに傾斜し上面吸込み口５一部と対向している。
【００１４】
熱交換器８の前後側熱交換器部８Ａ，８Ｂ相互間に、室内送風機１０が配置される。室内送風機１０は、室内機本体１の一側端のスペースに配置されたファンモータと、このファンモータの回転軸に連結される横流ファンとから構成される。横流ファンの軸方向長さは熱交換器８の幅方向長さと同一に設定され、互いに正しく対向するように配置される。
【００１５】
前側熱交換器部８Ａの下端部は前ドレンパン１２ａ上に載り、後側熱交換器部８Ｂの下端部は後ドレンパン１２ｂ上に載る。前、後ドレンパン１２ａ，１２ｂは、それぞれ室内機本体１を構成する後本体３に一体に成形され、熱交換器部８Ａ，８Ｂから滴下するドレン水を受けて図示しない排水ホースを介し屋外へ排水できるようになっている。
【００１６】
前後ドレンパン１２ａ，１２ｂの一部側壁外面は室内送風機１０に近接して設けられ、これらで室内送風機１０の横流ファンに対するノーズを構成している。ノーズとなる前後ドレンパン１２ａ，１２ｂの側壁部分と吹出し口６の各辺部との間は、隔壁部材１４によって連結される。
【００１７】
前記室内送風機１０を駆動することにより、隔壁部材１４で囲まれる空間が、ノーズと吹出し口９とを連通する吹出し通風路１５Ａとなる。これに対して、前記前面吸込み口４および上面吸込み口５から熱交換器８に至る間に、吸込み通風路１５Ｂが形成されることになる。
【００１８】
一方、前面パネル２の上面に設けられる上面吸込み口５と熱交換器８の上端部との間に亘って、上部枠体組立１６が介在される。上部枠体組立１６の前端部に沿って、エアフィルタ清掃ユニットＳが取付けられ、前端部を除く部位全体に亘って上面エアフィルタ１７が移動自在に支持される。
【００１９】
上面エアフィルタ１７は、後述するように前面吸込み口４に対向して取付けられる前面エアフィルタ１８と対をなす。すなわち、本来は、上面エアフィルタ１７と前面エアフィルタ１８とは１枚物のエアフィルタＦで形成されるが、前記エアフィルタ清掃ユニットＳを備えることにより分割したものである。
【００２０】
エアフィルタ清掃ユニットＳは、前面エアフィルタ１８および上面エアフィルタ１７の幅方向長さと同一の幅方向長さに形成され、かつ前後方向にある程度の厚み寸法を有している。エアフィルタ清掃ユニットＳの配置位置は、前面パネル２における前面部と上面部とが交差する、いわゆる角部内となり、前面パネル２と熱交換器８との間に必然的に形成されるデッドスペースである。
【００２１】
室内機本体１の前面吸込み口４と熱交換器８の前側熱交換器部８Ａとの間に、複数個で構成するフィルタガイド２０が設けられる。これらフィルタガイド２０は、ここでは、左右両側部と、略中央部に２個並んで、合計４個（第１のフィルタガイド２０Ａ〜第４のフィルタガイド２０Ｄ）で構成されている。
【００２２】
図２において、中央部に２個のフィルタガイドである、第１のフィルタガイド２０Ａと、第３のフィルタガイド２０Ｃが配置されている。第１のフィルタガイド２０Ａは所定位置から着脱自在であるので、取外して示している。この第１のフィルタガイド２０Ａを除く、残りの左右両側部と中央部他方の３個である第２のフィルタガイド２０Ｂ〜第４のフィルタガイド２０Ｄは、係合手段で所定位置に取付け固定される。
【００２３】
これら第１のフィルタガイド２０Ａ〜第４のフィルタガイド２０Ｄは、後述するようにマイナス電位の高電圧が印加され空気中にイオンを放出するマイナスイオン発生器などのイオン発生器Ｍを保持するとともに、前面エアフィルタ１８を移動自在に支持する。  
図３は、特に上部枠体組立１６および複数個（４個）で構成するフィルタガイド２０の構造を詳細に示す図であり、以下、図１および図２とともに上部枠体組立１６とフィルタガイド２０について説明する。
【００２４】
上部枠体組立１６は、左右の両側部と、この左右両側部の前端部相互および後端部相互を連結する枠部で一体成形される。さらに、左右幅方向の中央部と、この中央部から左右両側に所定間隔を存した位置で前後端部に亘って架設される枠部を備えている。  
上部枠体組立１６の後端枠部は後本体３の後端部上に載り、スポット溶接等の手段で取付け固定される。上部枠体組立１６の左側枠部は後本体３の左側部に沿う。右側枠部は後本体３の右側部の内側位置にある。
【００２５】
したがって、上面エアフィルタ１７は上面吸込み口５と熱交換器８との間に介設され、上面吸込み口５と対向するとともに、上部枠体組立１６の各枠部間に形成される開口部と対向して配置されることになる。  
上述したように、上部枠体組立１６の前端部の左右両側部と中央部位置に、第１のフィルタガイド２０Ａ〜第４のフィルタガイド２０Ｄにおける、それぞれの上端部が取付け固定される。これらフィルタガイド２０Ａ〜２０Ｄの下端部は、前ドレンパン１２ａ前面部の左右両側部と中央部位置に取付け固定される。
【００２６】
すなわち、後本体３の上面部に上部枠体組立１６が設けられ、後本体３の前面部に第１のフィルタガイド２０Ａ〜第４のフィルタガイド２０Ｄが設けられるので、これらで１つの筐体が構成され、強度的に高い剛性を有する。この筐体の上面と前面および左右両側面を前面パネル２が覆って、前記室内機本体１が形成されることになる。
【００２７】
前記上部枠体組立１６を構成する枠部間に形成される開口部は、上面吸込み口５と連通する。上部枠体組立１６のエアフィルタ清掃ユニットＳが取付けられる前端枠部を除く大部分である、左右両側部と後端部および前後端に架設される枠部上に、前記上面エアフィルタ１７が移動自在に支持される。
【００２８】
図２で取外した状態で示している第１のフィルタガイド２０Ａは、上部枠体組立１６の前端部と前ドレンパン１２ａの前面部に並行な上部枠と下部枠を備えている。そして、これら上下部枠の左右両端部相互間に亘って架設される２本の側部枠からなるので、第１のフィルタガイド２０Ａの正面視は、矩形枠状をなす。
【００２９】
第１のフィルタガイド２０Ａの上部枠と下部枠の裏面側で、それぞれの左右両端には、上部枠体組立１６と前ドレンパン１２ａに所定間隔を存して設けられる取付け部に着脱自在な突部が設けられる。左右の側部枠は、上端から下端に亘って互いに同一の曲率半径で湾曲形成され、アーチ状をなす。
【００３０】
左右両側部にある第２のフィルタガイド２０Ｂおよび第４のフィルタガイド２０Ｄと、中央部他方である第３のフィルタガイド２０Ｃは、それぞれの上部枠が上部枠体組立１６の前端枠部に沿って取付け固定され、下部枠が前ドレンパン１２ａの前面部に沿って取付け固定される。上下部枠の左右両端部相互間に亘って２本の側部枠が架設されるので、これら第２のフィルタガイド２０Ｂ〜第４のフィルタガイド２０Ｄに対する正面視も、矩形枠状をなす。
【００３１】
特に、第２のフィルタガイド２０Ｂにおいて、左側である上部枠体組立１６の側端部に沿う側部枠は、上述した第１のフィルタガイド２０Ａ側部枠と同一の曲率半径に湾曲成される。右側の側部枠は、上下方向の中間部が凹状に屈曲形成される保持部２１ａとなっていて、この保持部２１ａを除く上下端部は、左側の側部枠と同一の曲率半径で湾曲成される。
【００３２】
第４のフィルタガイド２０Ｄにおいて、右側である上部枠体組立１６の側端部に沿う側部枠は、第１のフィルタガイド２０Ａ側部枠と同一の曲率半径に湾曲成される。左側の側部枠は、上下方向の中間部が凹状に屈曲形成される保持部２１ｂとなっていて、この保持部２１ｂを除く上下端部は、右側の側部枠と同一の曲率半径で湾曲成される。
【００３３】
第３のフィルタガイド２０Ｃは、左右側の側部枠とも、上下方向の中間部が凹状に屈曲形成される保持部２１ｃであり、この保持部２１ｃを除く上下端部は、第１のフィルタガイド２０Ａと、第２のフィルタガイド２０Ｂおよび第４のフィルタガイド２０Ｄの湾曲成される側部枠と同一の曲率半径で湾曲成される。
【００３４】
このようにして４個で構成するフィルタガイド２０である、第１のフィルタガイド２０Ａ〜第４のフィルタガイド２０Ｄが取付けられるところから、これらフィルタガイド２０Ａ〜２０Ｄで上部枠体組立１６と前ドレンパン１２ａとの間に形成される空間部を補強する。そして、第１のフィルタガイド２０Ａ〜第４のフィルタガイド２０Ｄで形成される開口部は、前面吸込み口４と連通する。
【００３５】
特に図２に示すように、第２のフィルタガイド２０Ｂの側部枠に形成される保持部２１ａと、第３のフィルタガイド２０Ｃの両側部枠に形成される保持部２１ｃは、後述するイオン発生器Ｍの本体部Ｍａが着脱自在に嵌め込まれる本体部保持部となっている。右側部のフィルタガイド２０Ｄと、この側部枠に形成される保持部２１ｂは、イオン発生器Ｍを構成する電源部Ｍｂが着脱自在に嵌め込まれる電源保持部となっている。
【００３６】
すなわち、イオン発生器Ｍは、本体部Ｍａの基端に電源部Ｍｂが連結して一体化されている。本体部Ｍａの先端は第２のフィルタガイド２０Ｂの左側部枠内側面に嵌め込まれ、電源部Ｍｂ全体は第４のフィルタガイド２０Ｄの上下部枠と左右側部枠全体に嵌め込まれる。
【００３７】
取外して示す第１のフィルタガイド２０Ａを、上部枠体組立１６と前ドレンパン１２ａの取付け部に取付けることで、前面側からイオン発生器Ｍを押え付けることになる。イオン発生器Ｍを構成する本体部Ｍａと電源部Ｍｂが確実に保持され、製品の運搬中に振動がかかっても、その位置が変動することはない。
【００３８】
図１のみに示すように、複数個（４個）で構成するフィルタガイド２０の前面側に前面エアフィルタ１８が移動自在に支持される。したがって、前面エアフィルタ１８は前面吸込み口４と前側熱交換器部８Ａとの間に介設され、前面吸込み口４と対向するとともに、各フィルタガイド２０Ａ〜２０Ｄ自体に形成される開口部および、これらフィルタガイド２０Ａ〜２０Ｄ相互間に形成される開口部と対向して配置される。  
上面エアフィルタ１７の前端部と前面エアフィルタ１８の上端部は、エアフィルタ清掃ユニットＳに挿入された状態にある。前面エアフィルタ１８の下端部は、前ドレンパン１２ａの前面部に一体に設けられる受け部２３に収納される。
【００３９】
図４は、前面エアフィルタ１８および複数個で構成するフィルタガイド２０の下端部と、前ドレンパン１２ａの受け部２３を拡大して示す図である。  
前記受け部２３は、上面が開口され断面略Ｕ字状をなすポケット状に形成されていて、前面エアフィルタ１８の下端部を収納している。そして、受け部２３は、移動してきた上面エアフィルタ１７の端部を収納するのに充分な寸法形状をなしている。各フィルタガイド２０は受け部２３の内側板部の内面に取付け固定されるので、前面エアフィルタ１８の収納と上面エアフィルタ１７の収納に何らの支障もない。
【００４０】
図５は、前記イオン発生器Ｍを分解して示す斜視図である。  
上述したようにイオン発生器Ｍは、本体部Ｍａと、この本体部Ｍａに連結される電源部Ｍｂとから構成される。本体部Ｍａは、イオン発生電極２５とアース電極である対向電極を備えていて、これらイオン発生電極２５および対向電極がケース体２６に取付けられることで構成される。
【００４１】
図５では、ケース体２６からイオン発生電極２５を取外した状態で示している。前記対向電極はケース体２６に取付けられていて、さらに押えカバーによりケース体２６に押え付けられている。したがって、対向電極は押えカバーで遮蔽され、ここでは図示していない。
【００４２】
前記イオン発生電極２５は長手方向に沿い所定間隔を存して、複数本の針電極ｄが一体に突設されている。対向電極はたとえば針金状のものが用いられていて、イオン発生電極２５と同じ長さの全長であり、両側端部のみがケース体２６に取付け支持される。  
押えカバーは対向電極をケース体２６に押え付けて、対向電極の弛みなどの変形を規制する。特に、イオン発生電極２５に高電圧がかかるので、ケース体２６と押えカバーは難燃性樹脂であるＡＢＳ樹脂で構成する。
【００４３】
したがって、ユーザーは露出した状態のイオン発生器Ｍに対し、針電極ｄを備えたイオン発生電極２５には接触することはできず、安全性が確保されている。しかも、ケース体２６の強度を保持するとともに、マイナスイオンを効率よく放出できるよう、ケース体２６は格子状に形成されている。
【００４４】
再び図１に示すように、イオン発生器Ｍは、室内送風機１０の駆動にともなって形成される室内空気の吸込み通風路１５Ｂ中に配置されることになる。前面エアフィルタ１８および上面エアフィルタ１７はともに導電性を備え、イオン発生器Ｍの対向電極２７と同電位が印加されるようになっている。すなわち、アース電位に接続されている。  
具体的には、前面エアフィルタ１８と上面エアフィルタ１７を構成するフィルタ素材としてＰＥＴ（ポリエチレンテレフタレート）が選択され、フィルタネット表面にはスパッタリングで導電性を有するステンレスコーティング処理がなされ、もしくはエアフィルタ表面に導電性塗料が塗布されている。
【００４５】
上記熱交換器８においても、導電性を持つ。具体的には、熱交換器８を構成する前側熱交換器部８Ａと後側熱交換器部８Ｂのフィンは、導電性を持つアルミニュウム材が選択され、対向電極と同電位が印加されるようアース電位に接続される。
【００４６】
さらに熱交換器８のフィンには、防汚性の処理が行われている。この処理をなすことにより、冷房運転時に熱交換器８表面に結露水が生成され流下する際に、フィン表面に付着している塵埃を浮き上がらせ、結露水とともに塵埃を洗い流して表面に残留させることがない。
【００４７】
このように吸込み通風路１５Ｂに沿って、イオン発生器Ｍを構成する対向電極２７とイオン発生電極２５が配置される。そして、針電極ｄを備えたイオン発生電極２５と対向電極２７は、室内空気の通風方向に対して直角方向に向き、かつ前面エアフィルタ１８に対して略平行に配置される。
【００４８】
上記対向電極２７は前面エアフィルタ１８に近接する位置にあり、イオン発生電極２５は熱交換器８に近接する位置にある。換言すれば、イオン発生器Ｍを間にして、この両側の吸込み通風路１５Ｂ部位にエアフィルタＦおよび熱交換器８が配置される。  
したがって、室内空気の吸込み通風路１５Ｂの上流側から下流側に亘って、エアフィルタＦ、対向電極２７、イオン発生電極２５、熱交換器８の順に配置されることになる。なお、互いの部品の配置間隔は、６〜１５ｍｍに設定する。
【００４９】
特に、図２および図３に示すように、上部枠体組立１６と第４のフィルタガイド２０Ｄの一側部で、上記エアフィルタ清掃ユニットＳの延長軸線上には、後述するエアフィルタ清掃ユニットＳと、前面エアフィルタ１８を往復動する前部移動機構と、上面エアフィルタ１７を往復動する上部移動機構の駆動源である駆動部２８が取付けられる。上記駆動部２８の側方には、上記電気部品箱９が配置されることになる。
【００５０】
図６はエアフィルタ清掃ユニットＳと、その近傍部位を断面にした斜視図である。  
上記エアフィルタ清掃ユニットＳは、前面エアフィルタ１８および上面エアフィルタ１７に付着する塵埃を除去する回転ブラシ３０と、この回転ブラシ３０を内部に収容するとともに、回転ブラシ３０が除去した塵埃を収集する塵挨受け通路３１を備えたダストボックス３２と、このダストボックス３２に設けられる開口部３３を開閉自在なシール部材３４とから構成される。
【００５１】
上記ダストボックス３２は、回転ブラシ３０を軸方向に沿って囲う状態で収容し、かつ開口部３３から回転ブラシ３０の一部が露出する。シール部材３４は、開口部３３の下方部位に、開口部３３と対向して配置され、リフト機構３５に支持される。このシール部材３４は、通常、開口部３３から露出する回転ブラシ３０部分と接触しない位置にあり、リフト機構３５が作動することで開口部３３を閉塞するようになっている。
【００５２】
上記塵挨受け通路３１は、ダストボックス３２内の空間部であり、回転ブラシ３０の周面一部が露出する開口部３３以外は全て閉塞される。塵埃受け通路３１と回転ブラシ３０の収容部位との間に、掻き落し用突部３６が突設される。この掻き落し用突部３６は常時、回転ブラシ３０の毛先内に挿入していて、回転ブラシ３０の回転にともなって毛先が摺接する位置にある
ダストボックス３２の図示しない他側部には、塵埃排出ボックスが一体に取付けられる。この塵挨排出ボックスは塵埃受け通路３１の末端部に設けられ、塵挨受け通路３１と連通する。さらに、塵埃排出ボックスには接続ホースが接続され、熱交換器８の一側部に設けられる換気ユニットと連通する。この換気ユニットは、内部に換気扇と切換えダンパを収容し、かつ屋外に開口部を臨ませた排気ダクトが接続される。
【００５３】
前記前部移動機構３７および上部移動機構３８は、シール部材３４を昇降駆動するリフト機構３５の両側部に沿って設けられる。これら前部移動機構３７と上部移動機構３８は、前面エアフィルタ１８と、上面エアフィルタ１７の桟部と対向する部位に、前面エアフィルタ駆動ギヤ３７ａと、上面エアフィルタ駆動ギヤ３８ａを備えている。
【００５４】
その一方で、前、上面エアフィルタ１８，１７を構成する桟部の裏面には、いわゆるラック（平歯車）１８ａ，１７ａが設けられている。それぞれのラック１８ａ，１７ａには、前、上面エアフィルタ駆動ギヤ３７ａ，３８ａが、いわゆるピニオンとして噛合するようになっている。
【００５５】
すなわち、駆動部２８の駆動にともない、前部移動機構３７を構成する前面エアフィルタ駆動ギヤ３７ａが回転し、ピニオンとラック１８ａの関係から、前面エアフィルタ１８が前面エアフィルタ駆動ギヤ３７ａの回転方向に移動付勢される。  
さらに、上部移動機構３８を構成する上面エアフィルタ駆動ギヤ３８ａが回転し、ピニオンとラック１７ａとの関係から、上面エアフィルタ１７が上面エアフィルタ駆動ギヤ３８ａの回転方向に移動付勢されるようになっている。
【００５６】
つぎに、このようにして構成される空気調和機の室内機における作用について説明する。  
使用者がリモコン（遠隔操作盤）の運転ボタンを押圧操作すると、室内送風機１０が駆動されるとともに、イオン発生器Ｍに通電される。さらに、室内機と冷媒管を介して連通する室外機において圧縮機が駆動され、冷凍サイクル運転が開始される。
【００５７】
室内空気は前面吸込み口４および上面吸込み口５から室内機本体１内に吸込まれ、吸込み通風路１５Ｂに沿って導かれて、前面エアフィルタ１８および上面エアフィルタ１７を通過する。このとき、室内空気中に含まれる塵埃が前面エアフィルタ１８および上面エアフィルタ１７に捕捉される。
【００５８】
前面エアフィルタ１８と上面エアフィルタ１７により塵埃が除去された室内空気は、イオン発生器Ｍの作用により、より微細な塵埃が電気的に集塵され、かつ脱臭される。清浄化した室内空気は熱交換器８を流通し、ここに導かれる冷媒と熱交換作用が行われる。そのあと、熱交換空気は吹出し通風路１５Ａに沿って導かれ、吹出し口６から吹出しルーバー７ａ，７ｂに案内されて室内へ吹出され、効率のよい空調運転を継続する。
【００５９】
さらに、上記イオン発生器Ｍの作用について詳述する。  
針電極ｄを備えたイオン発生電極２５にマイナスの高電位をかけることで、マイナスイオンが発生する。実際には、イオン発生電極２５に対して、−４〜−８ＫＶ程度の電位をかけると、最も効率的にマイナスイオンを放出することが判明している。
【００６０】
吸込み通風路１５Ｂで発生したマイナスイオンは、分割されたエアフィルタＦである前面エアフィルタ１８と上面エアフィルタ１７で捕捉された塵埃と、捕捉されずに通過しようとしている塵埃および、熱交換器８に到達している塵埃など、吸込み通風路１５Ｂに存在している全ての塵埃を効率よくマイナスに荷電する。
【００６１】
その一方で、前面エアフィルタ１８と上面エアフィルタ１７および熱交換器８には対向電極２７と同じアース電位がかけられているので、これらエアフィルタ１８，１７と熱交換器８においてマイナスに荷電した塵埃を捕捉し集塵する。  
集塵作用を前面エアフィルタ１８と上面エアフィルタ１７および熱交換器８とで行うところから、極めて高い集塵効果を得られる。また、イオン発生器ＭをエアフィルタＦと熱交換器８との間に配置しているので、イオン発生電極２５および対向電極２７に綿ホコリなどの大きな塵埃が付着するのを防止できる。
【００６２】
上記熱交換器８で捕捉されない荷電粒子は、熱交換器８を通過した直後に室内送風機１０の横流ファンに衝突し、よって荷電粒子は消滅する。そのため、吹出し通風路１５Ａを介して吹出し口６からマイナスイオンに荷電した粒子が放出されることはなく、壁汚れ等の防止を図れる。
【００６３】
なお、熱交換器８に付着している塵埃は、熱交換器８に対する防汚処理によって自然的に除去される。塵埃は結露水とともに前ドレンパン１２ａもしくは後ドレンパン１２ｂに流下し、ドレンホースを介して屋外へ排出される。したがって、熱交換器８に付着した塵埃を除去するのに何らの手間もかからない。
【００６４】
結局、吸込み通風路１５Ｂに導かれる室内空気に含まれる塵埃を効率よく捕捉し集塵しながら、集塵した塵埃をユーザーとして何らの処置を行う必要もなく自動的に処理され、いわゆるメンテナンスフリーとなって、ユーザー手間の軽減化を得られる。  
なお、前面エアフィルタ１８と上面エアフィルタ１７は本来、室内空気中に含まれる塵埃を捕捉するために備えられていて、それ自体が集塵機能を有している。そこで、必ずしも前面エアフィルタ１８と上面エアフィルタ１７に対向電極と同電位とした導電性を持つ処理をなすことはせず、熱交換器８にのみ該処理をなすようにしてもよい。
【００６５】
熱交換器８は、前面エアフィルタ１８と上面エアフィルタ１７で捕捉されることなく通過した塵埃で、かつイオン発生器Ｍでマイナス荷電された塵埃を捕捉し集塵する。針電極ｄを備えたイオン発生電極２５が熱交換器８に近づくため、放電電流が増大して集塵効率が向上する。
【００６６】
イオン発生器Ｍを前面エアフィルタ１８と熱交換器８との間に配置しているので、室内空気中から吸込まれる綿ホコリなどの大きな塵埃が前面エアフィルタ１８で捕集除去され、イオン発生電極２５および対向電極２７に塵埃が付着するのを防止できることも変りがない。
【００６７】
このような空気調和運転と空気清浄作用をなすことの他に、この空気調和機においてはエアフィルタ掃除モードを選択することができる。エアフィルタ掃除モードが選択されると、制御部は駆動部２８に駆動信号を送ることで、たとえば、はじめに前部移動機構３７が駆動され、同時に回転ブラシ３０の駆動機構が作動する。このときシール部材３４は下降位置にあり、ダストボックス３２の開口部３３は開放されている。
【００６８】
前部移動機構３７により、前面エアフィルタ１８は上昇駆動されるとともに、第１のフィルタガイド２０Ａ〜第４のフィルタガイド２０Ｄにガイドされて、上端部からエアフィルタ清掃ユニットＳ内へ挿入される。  
具体的には、ダストボックス３２下端とシール部材３４との間に形成される隙間を挿通する。同時に、回転ブラシ３０が回転駆動され、前面エアフィルタ１８は回転ブラシ３０に摺接しながら移動する。
【００６９】
前面エアフィルタ１８に付着していた塵埃は、回転ブラシ３０によって円滑に、かつ確実に掻き落されて除去される。塵埃は前面エアフィルタ１８から回転ブラシ３０に転移し、この直後に回転ブラシ３０は掻き落し用突部３６に接触して通過する。回転ブラシ３０に転移した塵埃は掻き落し用突部３６により掻き落されて、塵埃受け通路３１に落下する。
【００７０】
塵埃が除去された前面エアフィルタ１８は上部枠体組立１６によってガイドされ、上部枠体組立１６に支持される上面エアフィルタ１７の上面側に収納される。前面エアフィルタ１８の上端が上部枠体組立１６の後端に当接したところで、制御部は駆動部２８で駆動するモータを一旦停止するよう制御する。
【００７１】
ついで制御部は、駆動部２８の駆動モータに対して逆方向に回転する駆動信号を送る。前部移動機構３７は前面エアフィルタ１８を下降移動させ、再びエアフィルタ清掃ユニットＳを通過させる。先の塵挨除去作用で全ての塵埃が前面エアフィルタ１８から除去されているが、なお前面エアフィルタ１８に残留する塵埃が確実に除去される。
【００７２】
前面エアフィルタ１８はエアフィルタ清掃ユニットＳを通過し、第１のフィルタガイド２０Ａ〜第４のフィルタガイド２０Ｄにガイドされて、所定のエアフィルタ収納部位に戻る。制御部は駆動部２８に停止信号を送る。ここで、前面エアフィルタ１８全面に対する塵挨除去作用が終了する。
【００７３】
さらに制御部は、駆動部２８の所定の駆動モータに駆動信号を送る。今度は上部移動機構３８が作動し、上面エアフィルタ１７は上部枠体組立１６にガイドされてエアフィルタ清掃ユニットＳ内へ移動する。  
上面エアフィルタ１７に付着していた塵埃は、回転ブラシ３０によって除去される。エアフィルタ清掃ユニットＳを出た上面エアフィルタ１７は第１のフィルタガイド２０Ａ〜第４のフィルタガイド２０Ｄにガイドされて、前面エアフィルタ１８の前面側に収納される。
【００７４】
つぎに制御部は、駆動部２８に対して逆回転の駆動信号を送り、上面エアフィルタ１７を上昇させる復動移動をなす。上面エアフィルタ１７は再び第１のフィルタガイド２０Ａ〜第４のフィルタガイド２０Ｄにガイドされてエアフィルタ清掃ユニットＳを通過し、残留していた塵埃は全て除去される。
【００７５】
上面エアフィルタ１７が上部枠体組立１６のエアフィルタ収納部位に戻ったところで、制御部は駆動部２８に停止信号を送る。ここで、上面エアフィルタ１７全面に対する塵挨除去作用が終了する。  
前面エアフィルタ１８および上面エアフィルタ１７に対する清掃運転が完了した時点で、制御部は駆動部２８の別の駆動モータに駆動信号を送り、リフト機構３５を作動させる。ダストボックス３２の下面に設けられる開口部３３はシール部材３４によって完全に閉成される。
【００７６】
つぎに制御部は、換気ユニットの換気ダンパを全閉にしたうえで、換気ファンへ駆動信号を送る。負圧が接続ホースと排出ボックスを介してエアフィルタ清掃ユニットＳを構成する塵埃受け通路３１に作用する。  
この塵埃受け通路３１に収集されている塵埃が吸引され、ダストボックス３２から出て接続ホースを介して換気ユニット内に導かれる。さらに、換気ダンパが開放され、塵埃は換気ユニットから排気ダクトを介して屋外へ排出される。すなわち、選択されたエアフィルタ掃除モードが完全終了し、上面エアフィルタ１７と、前面エアフィルタ１８に付着していた塵埃は自動で除去され、屋外へ排出される。
【００７７】
このように、分割されたエアフィルタＦである上面エアフィルタ１７と前面エアフィルタ１８をガイドするとともにエアフィルタ清掃ユニットＳを取付けた主枠体を、上部枠体組立１６と複数個で構成するフィルタガイド２０とに分離形成したから、それぞれの枠体（すなわち、上部枠体組立１６と複数個で構成するフィルタガイド２０）の大きさを略半分程度にでき、製造時における部品としての収納スペースが減少して、組立作業性の向上を図れる。
【００７８】
前記複数個で構成するフィルタガイド２０を、室内機本体１の幅方向に亘り、所定間隔を存して３個以上で構成したから、フィルタガイド２０自体の部品構成が簡素化するとともに、部品単価の低減によりコストダウンに寄与する。複数個で構成するフィルタガイド２０の下端部を受ける受け部２３を前ドレンパン１２ａに備えたので、フィルタガイド２０の取付けが容易になる。
【００７９】
複数個で構成するフィルタガイド２０に保持部２１ａ〜２１ｃを設けて、イオン発生電極２５を備え室内空気中に含まれる塵埃をマイナスに荷電するイオン発生器Ｍを保持するようにしたので、フィルタガイド２０はイオン発生器Ｍの取付け保持と、エアフィルタ清掃ユニットＳに導かれるエアフィルタ１７，１８のガイドとの両方を機能できる。
【００８０】
フィルタガイド２０を４個以上に構成し、第４のフィルタガイド２０Ｄはイオン発生器Ｍの電源部Ｍｂを保持し、第２のフィルタガイド２０Ｂおよび第３のフィルタガイド２０Ｃはイオン発生器Ｍの本体部Ｍａを保持し、第１のフィルタガイド２０Ａは前面側からイオン発生器Ｍを押し付けて保持するとともに着脱自在としたから、イオン発生器Ｍの保持と着脱の作業が確実で容易となり、作業性の向上を図れる。
【００８１】
なお、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組合せにより種々の発明を形成できる。
【図面の簡単な説明】
【００８２】
【図１】本発明における実施の形態に係る、空気調和機室内機の概略の縦断面図。
【図２】同実施の形態に係る、前面パネルを取外した室内機内部の正面図。
【図３】同実施の形態に係る、上部枠体組立とフィルタガイドを説明するための室内機主要部の斜視図。
【図４】同実施の形態に係る、受け部を説明するための室内機一部の拡大した断面図。
【図５】同実施の形態に係る、イオン発生器を一部分解した斜視図。
【図６】同実施の形態に係る、エアフィルタ清掃ユニットとエアフィルタを切欠した斜視図。
【符号の説明】
【００８３】
８…熱交換器、１０…送風機、１…室内機本体、１２ａ…前ドレンパン、４…前面吸込み口、５…上面吸込み口、１８…前面エアフィルタ、１７…上面エアフィルタ、Ｓ…エアフィルタ清掃ユニット、１６…上部枠体組立、２０…（複数個で構成する）フィルタガイド、２０Ａ〜２０Ｄ…第１のフィルタガイド〜第４のフィルタガイド、２３…受け部、２１ａ〜２１ｃ…保持部、Ｍ…イオン発生器、Ｍｂ…電源部、Ｍａ…本体部。
【図１】
2009186032.tif 000003
【図２】
2009186032.tif 000004
【図３】
2009186032.tif 000005
【図４】
2009186032.tif 000006
【図５】
2009186032.tif 000007
【図６】
2009186032.tif 000008